(57)【要約】  本発明は，励起光102を発光するための第1の活性領域110と，原色光104を発光するための第2の活性領域120と，前記励起光102を混色光106へと十分に変換するための変換素子130とを有する半導体光源100に関している。原色光104及び混色光106は，事前に決められた色温度と共に，所望の色点，特に白色光をもつ光を作り出すために混ぜ合わされる。
2009519598.tif 000002
【特許請求の範囲】
【請求項１】
励起光を発光するための第1の活性領域と，原色光を発光するための第2の活性領域と，前記励起光を混色光へと十分に変換するための変換素子とを有する半導体光源であって，更に，前記原色光と前記混色光とを混合するように構成されている半導体光源。  
【請求項２】
前記励起光と前記原色光とが同一の波長範囲に有る，請求項１に記載の半導体光源。  
【請求項３】
前記第1の活性領域と前記第2の活性領域とが1個の基板上に形成されている，請求項１に記載の半導体光源。
【請求項４】
前記第1の活性領域と前記第2の活性領域とが1個の共通な活性領域内に形成されている，請求項３に記載の半導体光源。
【請求項５】
前記第1の活性領域は第1の基板上に形成され，前記第2の活性領域は第2の基板上に形成されている，請求項１に記載の半導体光源。
【請求項６】
前記変換素子は，基本的に前記第1の活性領域のみを覆っている層を有する，請求項１ないし５のいずれか一項に記載の半導体光源。  
【請求項７】
前記励起光及び前記原色光の内の少なくとも一つの強度を独立して制御するための制御ユニットを更に有する，請求項１ないし６のいずれか一項に記載の半導体光源。
【請求項８】
前記制御ユニットは可変抵抗器を有する，請求項7に記載の半導体光源。
【請求項９】
請求項１ないし８のいずれか一項に記載の半導体光源を有するバックライトユニット。
【請求項１０】
請求項９に記載のバックライトユニットを有する表示モジュール。
【請求項１１】
請求項１０に記載の表示モジュールを有する携帯型の電子機器。
【請求項１２】
請求項１ないし８のいずれか一項に記載の，一つ以上の半導体光源を有するランプ。
【請求項１３】
‐    第1の活性領域から励起光を生成するステップと，
‐    第2の活性領域から原色光を生成するステップと，
‐    前記励起光を混色光へと，変換素子を使って十分に変換するステップと，
‐    前記原色光と前記混色光とを混ぜ合わせ，これにより所望の色点をもつ光を作り出すステップとを有する，半導体光源から所望の色点をもつ光を作り出す方法。
【発明の詳細な説明】
【技術分野】
【０００１】
本発明は，半導体光源に関する。
【０００２】
本発明は更に，斯様な半導体光源を有するバックライトユニットに関する。
【０００３】
本発明は更に，斯様なバックライトユニットを有する表示モジュールに関する。
【０００４】
本発明は更に，斯様な表示モジュールを有する，携帯電話，PDA，携帯型個人用コンピュータ等々のような携帯型の電子機器に関する。
【０００５】
本発明は更に，斯様な半導体光源を有するランプに関する。
【０００６】
本発明は更に，斯様な半導体光源から所望の色点をもつ光を作り出す方法に関する。
【背景技術】
【０００７】
LEDランプのような光源の実施例は，欧州特許公開公報EP-1160883-A2で開示されている。当該LEDランプは，青色LED及び赤色LEDを含む。青色LEDは，青の波長範囲内に含まれる波長で発光し，赤色LEDは，赤の波長範囲内に含まれる波長で発光する。蛍光体が少なくとも青色LEDを覆っている。蛍光体は，青色LEDの発光によって光励起され，青色LEDの発光の一部を中間波長，例えば黄色又は緑色へと変換する。青色の波長範囲にある発光の一部は，変換されること無く蛍光体を通過する。白色光は，青色LEDと赤色LEDと，青色LEDの発光によって光励起されたときに蛍光体によって生じた黄色の発光とによって作り出される。
【発明の開示】
【発明が解決しようとする課題】
【０００８】
一般に，1個のLEDからの光では不十分であるアプリケーションにおいては，照明を提供するために，幾つかのLEDが一緒にされることが必要である。これは例えば，表示部への照明を提供するために多数の白色LEDに頼っている，携帯電話の表示用のバックライトの事例である。更に，これらの機器は，例えば表示部が均一な色温度をもっている事が好ましい。しかしながら，特定のタイプのLED及び特に蛍光体がコーティングされた白色LEDは，原料源，結晶成長，取り扱い，原料の保存条件，及び製造プロセスに通じる他の変動に起因して，色温度の変動（バラツキ）を生じる。これゆえ，例えばバックライトユニットへと組み立てられる前に，製造プロセスはLEDが取捨選択されることを必要とする。これらの取捨選択の方法は，例えば色座標を用いたり，又はLEDを選別するための相関色温度（CCT）を用いるが，しかし同一のCCTを有するLEDでも，依然として種々異なる色合いを持ち得る。LEDの製造者達は，各取捨選択内でのLEDの変動性（バラツキ）を減じる傾向のある新しい取捨選択のストラテジを用いてきた。斯様な取捨選択のプロセスは，LEDを製造するコストを著しく増加させる。
【０００９】
これゆえ，上で説明した取捨選択の方法に対する必要性を減じることによって，より低いコストで作り出すことの出来る半導体光源を提供することが，本発明の目的である。
【００１０】
半導体光源から所望の色点をもつ光を作り出す方法を提供することが，本発明の他の目的である。
【課題を解決するための手段】
【００１１】
本発明の第1の態様によれば，本発明は励起光を発光するための第1の活性領域と，原色光を発光するための第2の活性領域と，前記励起光を混色光へと十分に変換するための変換素子とを有する半導体光源を提供し，更に，当該半導体光源は原色光と混色光との混合を供するように構成されている。
【００１２】
第1の活性領域は，例えば青色，赤色，緑色，紫色，紫外光等の何れか一つの励起光を発光する。変換素子は，いかなる励起光をも，例えば黄色，緑色，青緑色，マゼンダ等の何れか一つの混色光へと十分に変換する。好ましくは，第1の活性領域から発光された励起光は，蛍光体によって完全に混色光へと変換される。当該変換素子は，好ましくはYAG，又はUV効率の良いケイ酸蛍光体のような蛍光体であり，一つのスペクトル周波数範囲内の光を吸収することが出来，異なるスペクトル周波数範囲に属している光を発光することが出来る。代替物としては，蛍光染料，特に複合型の無機，又は有機のシステムが使われることが出来る。「蛍光体」という単語の使用は，これ以降，代替物を使用する可能性を排除することはない。原色光と混色光との混合は，均一な色温度をもつ混合された光，好ましくは白色光を作り出す。
【００１３】
本発明の目的は，既に知られている部分的な変換の代わりに，励起光を混色光へと十分に変換することにより達成され，これによって，半導体光源の白色点を制御し，半導体光源の取捨選択に対する必要性を取り除いている。
【００１４】
種々異なる相関色温度をもっているLEDは取捨選択が必要であるので，従来の蛍光体は製造プロセス中では正確に制御されることは出来ず，様々な量の変換された光を生じる。例えば，蛍光体が第1の活性領域に付随した層形状をしているのであれば，当該蛍光体の層の厚さは，混色光へと変換される励起光の変換率又は変換効率に影響を及ぼす。更に，蛍光体材料の成分も，変換率へ影響を及ぼす。変換率の変動（バラツキ）は，色温度の変動にも同様にむすびつく。
【００１５】
部分的な変換の変動（バラツキ）を有するこの問題は，如何なる励起光をも混色光へと十分に変換することによる本発明によって解決される。いかなる励起光も混色光へと十分に変換されるので，取捨選択に対する必要性は取り除かれ，これによってプロセスのマージンを緩和させ，半導体光源を生産するコストの削減を生む。
【００１６】
励起光及び原色光は，好ましくは青色の波長の範囲にある。蛍光体は励起光，第1の活性領域から発光された青色光を吸収し，当該励起光を，黄色を含んでいる，好ましくは黄色周辺の広範囲なスペクトル中の別の波長の光へと変換する。青色である原色光及び現在黄色としている混色光は，白色光を作り出すために混合される。斯様に作り出された白色光は高い色温度をもち，例えば携帯電話，PDA，ポケットに入るPC等，携帯型の電子機器のような装置に向いている。
【００１７】
励起光を混色光へと完全に変換するという他の長所は，取捨選択の条件のうちから動作条件の偏移に起因する発光のスペクトルの変換率の変動（バラツキ）が無視できるようになることである。例えば半導体光源は，同一のCCT値をもつよう，一定電流10mA又は20mAで一般的には取捨選択される。しかしながら，例えばバックライトユニット中にこれらの光源の幾つかが直列に接続されると，直列になった半導体光源の各々は，種々異なる順方向の電圧降下をもつ。従って，1個又は幾つかの半導体光源は取捨選択中に用いられた電流とは異なる電流で動作し，これによって，発光スペクトルのシフトを生じる異なる光強度をもつ。このように，半導体光源は種々異なるCCT値で動作する。励起光を十分に変換することにより，発光スペクトルの影響は無視できる。励起光の混色光への十分な変換は，均一な照明をもはや乱すことは無く，半導体光源の光強度の変動（バラツキ）は無視できるようになる。
【００１８】
十分に変換することの他の長所は，半導体光源の経年に起因する発光スペクトルの何らかのシフトが無視できるようになることである。
【００１９】
十分に変換することの他の長所は，半導体光源の周囲温度の変動に起因する発光スペクトルの何らかのシフトが無視できるようになることである。
【００２０】
十分に変換することの他の長所は，生産プロセス中で半導体光源に用いられた材料の変動に起因する発光スペクトルの何らかのシフトが無視できるようになることである。
【００２１】
他の長所は，例えば経年又は化学的な成分に起因して，一般的には蛍光体の発光の減少につながる変換へ影響をもつ蛍光体の吸収スペクトルの何らかのシフトもまた無視できるようになることである。
【００２２】
例えば，半導体光源に対する，経年，周囲温度の変動又は使われた材料の変質のような影響は，発光スペクトルのシフトにつながり，これゆえ，変換率の変動（バラツキ）を生じ，種々異なるCCT値で動作することになる半導体光源を生じる。このように，変換された光は種々異なる色合いをもつので，例えばバックライト用の半導体光源は表示に歪を生じる。励起光を混色光へと十分に変換することによって，変換率の影響及びこれによる光強度の変動（バラツキ）は無視出来るようになり，より均一な照明をもたらす。
【００２３】
これまでに議論したように，変換の際の変動（バラツキ）は色温度に影響を及ぼすが，これは本発明に従って励起光を混色光に十分に変換することにより避けられる。色温度についての上記の考察は，いかなる所望の色点をもつ光をも獲得する，より一般的な課題にも同様に適用する。
【００２４】
好ましい実施例においては，励起光及び原色光は，同一の波長範囲に有る。
【００２５】
青色光は赤色のような他の光に比べてより吸収が少ないので，励起光及び原色光は好ましくは可視スペクトルの同一の部分，例えば青色の波長の範囲に有る。殆どのバックライトユニットでは，ポリマ製の光ガイドが用いられ，これは光を吸収する。混合によって白色光を生成するために青色光を用いることの長所は，青色光は吸収がより少なく，これゆえ，他の波長の光に比較してシステムの効率を改善することである。更に，青色光と黄色光とを混合して形成された白色光もまた，青色光の存在により高い色温度をもち，携帯電話等のような装置で使われることを好ましくする。
【００２６】
他の実施例においては，第1の活性領域及び第2の活性領域が1個の基板上に形成される。これの長所は，半導体光源が1個のチップに統合され得，これによって製造コストを減じることである。他の長所は，共通の電極が1個の基板に取り付けられるので電気的な接続の数が減らされることで，製造コストを更に減じる。
【００２７】
他の実施例においては，第1の活性領域及び第2の活性領域が，1個の基板上に形成された1個の共通な活性領域内に構成される。1個の共通な活性領域の第1の部分は，第1の活性領域として機能する。例えば，第1の部分から発光された如何なる励起光も完全に混色光へと変換されるよう，蛍光体は第1の部分のみに付随している。1個の共通な活性領域の第2の部分は蛍光体を付随しておらず，原色光を発光するための第2の活性領域として機能する。励起光と原色光とは同じ波長をもっている。この長所は，活性領域を形成するために1個の材料の使用で良く，これによって製造コストを減じるので，生産のコストが著しく減じ得ることである。更に，1個の基板なので，1個の共通の電極を，陰極を形成している基板に取り付けることが出来，これも製造コストを減じる。
【００２８】
他の実施例においては，第1の活性領域は第1の基板上に形成され，第２の活性領域は第２の基板上に形成される。この構造のもつ長所は，第1の活性領域及び第2の活性領域が，半導体光源を設計する際に柔軟性があることである。
【００２９】
他の実施例においては，変換素子は基本的には第1の活性領域のみを覆っている層を有する。例えば蛍光体は，第1の活性領域のみを覆っている層として形成されることが出来，いかなる励起光をも混色光へと十分に変換する。これの長所は，半導体光源がコンパクトな装置として形成され得ることである。例えば，十分な厚さをもっている蛍光体の層は，完全な変換を行うことが出来る。
【００３０】
他の実施例においては，半導体光源は，励起光及び原色光の少なくとも一つの光強度を独立して制御するための制御ユニットを更に有する。
【００３１】
他の実施例においては，当該制御ユニットは可変抵抗器を有する。
【００３２】
第1の活性領域及び第2の活性領域から発光された光の強度は，第1の活性領域及び第2の活性領域へと供給された電圧の一つ又は両方を別々に調節することによって変化させることが出来る。二つの活性領域を独立して制御することによって，各々のスペクトルの強度が，例えば混合された光の色温度を調整するために調節され得る。可変の抵抗値をもつ抵抗器又は同様のもののような電流制御装置が制御ユニット中で使用される。第1の活性領域及び第2の活性領域に対して電流を独立して制御することによって，半導体光源の白色点は適切に調節されることが出来る。
【００３３】
本発明の他の態様によれば，バックライトユニットは斯様な半導体光源を有する。
【００３４】
本発明の更に他の態様によれば，表示モジュールは斯様なバックライトユニットを有する。
【００３５】
本発明の更に他の態様によれば，携帯型の電子機器は斯様な表示モジュールを有する。
【００３６】
本発明の他の態様によれば，ランプは一つ以上の斯様な半導体光源を有する。斯様なランプは，好都合なことに自動車照明に用いられる。
【００３７】
本発明による幾つかの斯様な半導体光源はランプ中に含まれることが出来，又は携帯電話及びPDA等のような携帯型の電子機器の表示用の照明を提供する，バックライトユニット中に含まれることが出来る。
【００３８】
本発明の他の態様によれば，本発明は半導体光源から所望の色点をもつ光を作り出す方法を提供し，当該方法は，
‐    第1の活性領域から励起光を生成し，第2の活性領域から原色光を生成するステップと，
‐    次に，変換素子を用いて前記励起光を混色光へと十分に変換するステップと，
‐    次に，前記原色光と前記混色光とを混合し，これによって所望の光点をもつ光を生成するステップとを有する。この方法の長所はこれまで説明されてきた。
【００３９】
本発明のこれらの態様及び他の態様は，添付されている図を参照して，これ以降に記述されている実施例から明らかになり，説明されることであろう。図は，本発明の実施例を例示していて，説明と共に本発明の原理を更に説明する役目をはたす。図において，同一の機能を有する部品は，同様の参照記号によって引用されている。
【発明を実施するための最良の形態】
【００４０】
一般に，携帯電話，PDA等の携帯型の電子機器において，バックライトユニット中に組み立てられている例えばLED等の半導体光源からの光は，液晶表示（LCD）パネル用の照明を提供している。斯様な携帯型の電子機器が，アプリケーションによってLCDの読み取り性と視認性とを改善するために，調整可能な色温度と高いコントラストとをもつことは好都合である。
【００４１】
図１は，1個の基板116上に第1の活性領域110と第2の活性領域120とが形成されていることを示している，本発明の第1の実施例の簡単な略図を示す。活性領域110，120は，隣同士に形成されているが，しかしお互いに分離されている。例えば，GaN（窒化ガリウム），ZnSe，AlGaInN，InGaN等のような半導体材料が，この活性領域110，120を形成するために使われることが可能である。共通電極として機能する，例えば透明なサファイアである基板116は，例えば陰極接続を形成しているリードフレームである第1のコネクタ150に取り付けられている。このリードフレームは制御ユニットへ電気的に接続されており，半導体光源100を駆動するために必要なパワーを供給する。活性領域110，120は，1個の基板116上か，又は各々独立した基板上のいずれかにエピタキシ又は同等の手段によって形成されることが可能である。第1の活性領域110と第2の活性領域120とは，順方向のバイアスが付与されると可視スペクトルの青色の波長範囲に有る，励起光102と原色光104とを好ましくは発光する。
【００４２】
第1の活性領域110は，例えば普通に使われている蛍光体130を付随している。一連の図において，蛍光体130は簡略化のために第1の活性領域110を覆う層として好ましい実施例中で常に描かれているが，しかし他の構成も考えられる。好ましくは，蛍光体130は，比較的厚い層として第1の活性領域110上に蒸着され，従って全面に浸透されている。蛍光体130は，第1の活性領域110から隔てられていることも同様に可能であり，この場合，励起光102を第1の活性領域110から蛍光体130へと導くために光学素子が用いられる。
【００４３】
蛍光体130は，励起光102を混色光106へと十分に変換することが出来る。好ましい実施例においては，蛍光体130は励起光102を混色光106へと完全に変換することが出来る。励起光102と原色光104とは，例えば青色，赤色，緑色，紫色，又はUV周波数の範囲に属している色の範囲内にある。混色光106は，好ましくは原色光104の色の補色の色範囲にあり，好ましくは黄色を含む黄色周辺の広範囲なスペクトル中に有る。補色は対照をなし，色調が概略180度異なる，お互いに目立つ二つの色を含んでいる。補色は，白色をもたらすために混ぜ合わされることが出来る。
【００４４】
好ましい実施例において，蛍光体130は，好ましくは波長範囲450nm-495nm中の青色光である青の励起光102を，波長範囲500nm-622nm，特に570nm-600nmの範囲に有る黄色を含んだ，黄色周辺の広範なスペクトルをもつ光である混色光106へと完全に変換する。その後，所望の再現可能な色温度をもった混合された白色光を作り出すために，原色光104と混色光106とは混ぜ合わされる。半導体光源100によって発光された混合光の白色点を調節するために，励起光102の光強度及び原色光104の光強度は制御されることが可能である。
【００４５】
図2は，第1の基板215上に形成された第1の活性領域210と，第2の基板225上に形成された第2の活性領域220とを示している，本発明の第2の実施例の略図を示している。第1の活性領域210は蛍光体230を付随しており，当該蛍光体は，第1の活性領域210から発光された励起光202を，混色光206へと完全に変換する。コネクタ250は基板215，225に電気的に接続されており，半導体光源を駆動するために必要な電圧を供給する制御ユニットにも接続されている。他の動作についての詳細は，図1で今まで説明されたものと同様である。
【００４６】
図3は，1個の基板316上に1個の共通な活性領域305の一部として形成された，第1の活性領域310と第2の活性領域320とを示している，本発明の第3の実施例の略図を示している。1個の共通な活性領域305は，例えば陰極結合を形成している第1の接続手段350に取り付けられた1個の基板316上に形成されている。1個の共通な活性領域305の第1の部分は，過度の量の蛍光体330によって覆われている。好ましい実施例においては，当該第1の部分は，第1の活性領域310を形成し，当該第1の活性領域310によって発光される全ての励起光302は，当該蛍光体330によって混色光306へと完全に変換される。蛍光体330によって覆われてはいない1個の共通な活性領域305の第2の部分は，第2の活性領域320を形成し，原色光304を発光する。第1の活性領域310からの全ての励起光302は混色光306へと変換されるので，所望の再現可能な色温度をもつ白色光を作り出すために，混色光306と原色光304とは混ぜ合わされる。他の動作についての詳細は，図1で今まで説明されたものと同様である。
【００４７】
図4は，第1の活性領域410と第2の活性領域420とを有する，本発明による半導体光源の第1の実施例を含んでいるパッケージ化されたLED 400の略図を示す。当該パッケージは，吸収に起因する光の損失を防ぐことにより反射率を強化するための反射ケース460を含む。第1の活性領域410は第2のコネクタ452，好ましくはボンディングワイヤ440を介したリードフレームへと電気的に接続されており，第2の活性領域420は第3のコネクタ453，これも好ましくはボンディングワイヤ441を介したリードフレームへと電気的に接続されている。第1の活性領域410と第2の活性領域420とは陽極接続を形成している。陽極及び陰極は，図には示されていない外部の駆動回路のようなパワー制御ユニットへと接続されている。半導体光源が順方向のバイアスモードで動作されるとき，活性領域410，420は必要な電圧が供され，発光する。第1の活性領域 410及び第2の活性領域420へ供される電圧は，所望の色温度をもつ混合された白色光を得るために，好ましくは独立して制御されることが出来る。第1の活性領域410及び第2の活性領域420へ供される電流を調節することにより，発光スペクトルの光強度又は光パワーは容易に調節されることが出来，白色点の色温度は適切に調節されることが出来る。結果として，様々な色温度をもつ光源が，この簡単な構造を用いて実現されることが出来る。これは何故なら，黄色を発光している蛍光体430の照明強度は，光励起源としての第2の活性領域420からの発光の照明強度と基本的には相関があるからである。従って，第1の活性領域410の照明強度と第2の活性領域420の照明強度とを適切に制御することにより，半導体光源400は如何なる任意の色の光も作り出すことが出来る。好ましくは，同一の電気的及び熱的な特性をもつよう，コネクタ450，452，453及びボンディングワイヤ440，441は同一の金属を有し，異なる材料が使われる状況と比較すると，改善された導電性になる。他の動作についての詳細は，図1で今まで説明されたものと同様である。
【００４８】
欧州特許公開公報EP-1160833-A1の図21から再現された図5は，幾つかのLED 100を有する，本発明によるランプ500を示す。当該ランプは，反射器565，LED 100にパワーを供給するためのパワー供給ユニット580及びベース590を有する。これに加えランプ500は，欧州特許公開公報EP-1160833-A2中で説明された，ランプ500の色と輝度とを制御するために使うことの出来る色制御ダイアル586及び輝度制御ダイアル584をもっている。
【００４９】
図6は，一般的な白色LEDのスペクトル691の略図を示す。スペクトル691は，蛍光体との組合せをもつLEDの一般的なスペクトルである。x-軸はナノメータ（nm）単位の波長を表し，y-軸は光強度を表す。白色のLEDは約450nmで青色光の第1の強いピークを生じ，570nm-580nm近傍を中心にした，黄色光の平たい第2のピークを生じる。青色光を黄色光と混合することで白色光を作り出す。歴然としているように，青色発光のピーク強度は，いかなる他の発光強度よりも高い。青色の発光強度が高ければ高いほど，半導体光源の相関色温度も高い。
【００５０】
図7は，本発明の好ましい実施例による白色LEDのスペクトルの略図を示す。x-軸はナノメータ（nm）単位の波長を表し，y-軸は光強度を表す。第1の活性領域110は，450nm-490nmの範囲の青色の波長範囲にあるスペクトル791を発光する。当該スペクトル791は500nm-580nmの黄色の波長を含み，黄色の波長周辺を中心とする平坦なピークをもつ，別のより広いスペクトル792へと，蛍光体130によって完全に変換される。第1の活性領域110から発光された青色光は完全に黄色光に変換されるので，好ましくは第2の活性領域120は，広いスペクトルへ加えるスペクトル792を発光するように構成される。
【００５１】
今までに説明されたように，第1の活性領域110への電流及び第2の活性領域120への電流は独立して制御されることが出来，これによってこれらの活性領域からの発光強度を独立して調節する。青色光のスペクトル792のピークと黄色光のスペクトル793のピークとに有る双頭の矢印は，第1の活性領域110へ流された電流と，第2の活性領域120へ流された電流とを制御することは，青色光の強度と黄色光の強度とを制御出来ることを示している。第1の活性領域110と第2の活性領域120との各々へ流される電流を制御ユニットによって調節する結果，光強度は適切に調整され，これによって，例えば熱帯地方の昼光色ランプ，中間色の白色ランプ，温かみのある白色ランプ，又は何らかの白熱ランプを得るために，生成された白色光の相関色温度が調整される。
【００５２】
上で説明された実施例は，本発明を限定する以上のものを例示していることに留意すべきであり，当業者は，添付の請求項の範囲から逸脱することなく代替的な実施例を設計できるであろうことに留意すべきである。請求項においては，如何なる参照記号も当該請求項の範囲を限定すべきではない。本発明は，上で説明された様々な実施例と組合わせることによって遂行されることが出来る。本発明は，統合化された解決策と同様，様々な独自の素子を有するハードウエアによって実行されることが出来る。
【００５３】
請求項中も含み，この明細書中での動詞「有する/有している」及びその活用形の使用は，説明された特徴，整数，ステップ，部品，又は部品の集合の存在を規定しているが，しかし他の特徴の存在を排除するものではないと理解されたい。請求項中で，素子に先行している不定冠詞「a」又は「an」は，斯様な素子の複数の存在を排除するものではないことにも留意されたい。更に本発明は，一つ一つに目新しい特徴又は複数の特徴の組合わせが備わっている。
【００５４】
本発明は次のように要約されることが出来る；励起光を発光するための第1の活性領域と，原色光を発光するための第2の活性領域と，前記励起光を混色光へと十分に変換するための変換素子とを有する半導体光源が有る。所望の色点をもつ光，特に事前に決められた色温度をもつ白色光を生成するために，前記原色光及び前記混色光は混ぜ合わされる。
【図面の簡単な説明】
【００５５】
【図１】1個の基板上に第1の活性領域と第2の活性領域とが形成されていることを示している，本発明の第1の実施例の略図である。
【図２】異なる基板上に第1の活性領域と第2の活性領域とが形成されていることを示している，本発明の第２の実施例の略図である。
【図３】1個の共通な活性領域の一部として，第1の活性領域と第2の活性領域とが形成されていることを示している，本発明の第３の実施例の略図である。
【図４】1個のパッケージ内に組み立てられた半導体光源を示している本発明の第４の実施例の略図である。
【図５】数個の半導体光源を有する，本発明のランプの略図を示す。
【図６】一般的な白色LEDのスペクトルの略図を示す。
【図７】二つの活性領域の組み合わされたスペクトルの略図を示す。
【図１】
2009519598.tif 000003
【図２】
2009519598.tif 000004
【図３】
2009519598.tif 000005
【図４】
2009519598.tif 000006
【図５】
2009519598.tif 000007
【図６】
2009519598.tif 000008
【図７】
2009519598.tif 000009
【国際調査報告】
2009519598.tif 000010
2009519598.tif 000011
2009519598.tif 000012